(57)【特許請求の範囲】
【請求項１】
外部から押圧力が加えられる装置の支持台であって、
前記装置の一部が内部に収容される本体部と、
前記本体部の底部外面との間に間隙を形成して前記底部外面に重ね合わされる収納位置と、前記底部外面との間に間隙が形成されることなく前記底部外面に部分的に当接して重ね合わされる引出位置との間を移動自在に前記本体部に連結される引出部と、
前記本体部と前記引出部のうちの一方に設けられ、前記引出部が前記収納位置から前記引出位置へと引き出される方向に向かって斜めに延びる長孔と、
前記本体部と前記引出部のうちの他方に設けられ、前記長孔に摺動可能に係合されるピンと
を備えることを特徴とする支持台。
【請求項２】
前記収納位置で、前記引出部と前記本体部とが当接している請求項１に記載の支持台。
【請求項３】
前記長孔と連通し、前記収納位置で前記ピンが位置する収納孔を設け、前記収納位置で、前記本体部と前記引出部との間隙がなくなるようにした請求項２に記載の支持台。
【請求項４】
前記引出部に前記長孔が設けられており、前記収納位置で、前記引出部の端部が前記本体部より突出しない請求項１乃至請求項３の何れかに記載の支持台。
【請求項５】
前記引出位置での重心の位置が、前記収納位置での重心の位置と異なり、前記引出位置で不安定な状態となる装置を支持する請求項１乃至請求項４の何れかに記載の支持台。
【請求項６】
前記引出部が両側壁部と底部とより成り、前記底部がフラット形状をしている請求項５に記載の支持台。
【請求項７】
前記装置が、海水を真水にする海水淡水化装置である請求項５又は請求項６に記載の支持台。
【請求項８】
前記海水淡水化装置が逆浸透を用いて海水を真水にしており、前記本体部の内部に逆浸透を行う半透膜が挿入されている請求項７に記載の支持台。
【請求項９】
前記海水淡水化装置の加圧部の柄が複数の本体部から成り、収納時には、該本体部が入れ子状態となっており、使用時には、前記本体部のうち、前記本体部を内設し、内面に凹所及び／又は突部が設けられた外方本体部が、該外方本体部に内設されている内方本体部より重なり部分を有して引き出され、該重なり部分に設けられた皿ばねが、前記外方本体部の凹所及び／又は突部が嵌合することによって、前記重なる部分が相互に係止されて長尺の柄となる請求項７又は請求項８に記載の支持台。
【発明の詳細な説明】
【０００１】
【発明の属する技術分野】
本発明は、支持台に関するものであり、特に、引出部が本体部から引き出された状態で、本体部及び引出部に力が加わる支持台に関するものである。
【０００２】
【従来の技術】
例えば、図１８に示される机などの引出し５では、物を収納する引出部６の両側方に形成された連結部６ａが、本体部７に形成されている凹所７ａを摺動して、引出部６が引き出される。場合によっては、図１８のＡに示されているように、引出部６の内部６ｃに、ストッパー８が設けられることがある。これは、使用時に、引出部６が矢印Ｋ方向に引き出され、図１８のＣで示すように、引出部６の後方の面６ｂがストッパー８に係合することによって、引出部６の脱落を防止する。すなわち、引出部６の内部６ｃに重い物が収容されている場合に、引出部６が本体部７より脱落し、引出部６の内部６ｃ及び下方にある物の損傷などを防止するものである。しかしながら、引出部６の脱落を防止するために、引き出す際にガイドとなる連結部６ａ及び凹所７ａを設ける以外に、ストッパー８を設けなければならず、部品の点数が多くなり、また、引出し５の高さが低い場合には、取り付けが困難となる。
【０００３】
また、例えば、図１９に示されるように、ガスコンロ等の下などに敷設され、使用するときには調味料や鍋などを載置するために、本体部から引出部を引き出して、使用する面積を大きくする載置台１がある。これは、本体部２と引出部３とから構成されており、引出部３は、引き出される方向、すなわち図において右方に取手部３ａを有し、左方に上下方向に突出する係合部３ｂを有した板状をしている。本体部２は、図において右側に開口２ａを有する空所２ｂを有し、その開口２ａの近傍に、空所２ｂの内方に突出する突出部２ｃが形成されている。収納時には、図１９のＡに示されているように、引出部３の係合部３ｂが空所２ｂの後部２ｂａに当接し、引出部３の右側端面３ｃが開口２ａと面一になって、掴み部３ａと突出部２ｃとの間に、空間Ｎを有している。使用時には、空間Ｎに手を入れて取手部３ａを図の右方に引き出す。すると、図１９のＢに示すように、係合部３ｂが本体部２の突出部２ｃに係合して、引出部３が拘持される。従って、この引出部３の上面３ｄに調味料や重い鍋などを載置しても引出部３が脱落しない。しかしながら、空所２ｂは、収納時に引出部３を収容するため、引出部３が開口２ａが突出しないような奥行きと、係合部３ｂが摺動する高さ及び幅とを有しなければならず、その分、収納スペースを小さくすることができない。
【０００４】
ところで、特公昭６４−１６６７号公報には、逆浸透を用いた海水淡水化装置が示されている。この海水淡水化装置は、図２０に、全体として２０で示されているが、これは、ハンドル２１と、ピストン２２が摺動するシリンダ２３と、方向制御弁２４と、差動サージアブソーバ１８と、フィルタ４と膜容器２６とを有している。シリンダ２３の内部は、ハンドル２１がピン１９の周りに回転可能に連結されたピストン２２によって、加圧室２７と、背圧室２８とに区画されている。背圧室２８は連絡管路２９を介して方向制御弁２４と連通しており、加圧室２７は、逆止弁３０を有し海水ＳＷを取り込む取水管３１に接続され、かつ逆止弁３２を有した管路３３、差動サージアブソーバ１８の供給室１８ａ、管路３３’、フィルタ４及び管路３３”を介して膜容器２６と連通している。膜容器２６は、内部空間２６ａに半透膜２５を有し、半透膜２５の内部は真水管３５を介して外部と連通し、半透膜２５の外部は管路３４、差動サージアブソーバ１８の濃縮室１８ｂ及び管路３４’を介して方向制御弁２４と連通する。方向制御弁２４は、貫通孔４０ａを有した本体４０と、この貫通孔４０ａを摺動するスプール３７とからなり、このスプール３７は、ピン４１でハンドル２１に連結するリンク部材３６とピン４２によって連結している。このスプール３７が貫通孔４０ａを移動することによって、連絡管路２９の連通及び遮断が制御される。なお、スプール３７は、上方及び下方に、その動きを止める止め３７ａ、３７ｂを有している。
【０００５】
次に、この海水淡水化装置２０の作用について説明する。まず、海水淡水化装置２０のハンドル２１の端部を矢印Ｇで示すように上昇させる。すなわち、ピン１９の周りに反時計方向に回転させると、まずスプール３７が上方に移動して、連絡管路２９は管路３４’と連通し、かつ排気管路３８と遮断する。更にハンドル２１を上昇させると、図２０に示されるように、スプール３７の止め３７ｂが本体４０に係合し、スプール３７がそれ以上、上方へは動かなくなる。この状態で、更にハンドル２１を上昇させると、ピン４１を支点としてピストン２２が下方へと移動する。このとき、加圧室２７の水は加圧され、逆止弁３２を開けて、管路３３、３３’、３３”を通って膜容器２６に流入する。加圧された水は、膜容器２６に流入すると、その圧力により、水の粒子だけが半透膜２５を通過し真水ＦＷとなって管路３５に供給される。半透膜２５を通過せず、塩分が濃縮された海水（以下、濃縮水と呼ぶ。）ＣＷは、管路３４、３４’、方向制御弁２４及び連絡管路２９を介して、シリンダ２３の背圧室２８に流入される。すなわち、加圧した水が、差動サージアブソーバ１８や膜容器２６等を巡って、ピストン２２の背圧室２８に流入し、ピストン２２の下方への移動を促進する。
【０００６】
次に、ハンドル２１の端部を下降させる。すなわち、ハンドル２１をピン１９の周りに時計方向に回動させる。まずスプール３７が下方に移動し、連絡通路２９は管路３４’と遮断してから、排気管３８と連通し、背圧室２８が外部と連通される。更に、ハンドル２１の端部を下降させると、スプール３７の止め３７ａが本体４０に係止して、スプール３７の下方の移動を抑制する。そして、更にハンドル２１の端部を下降させると、ピン４１を支点として、ピストン２２が上方へ移動しようとする。このとき背圧室２８は外気と連通しているので、ピストン２２は、容易に上方へと移動する。同時に、このピストン２２の移動により、背圧室２８にある濃縮水ＣＷは連絡通路２９、方向制御弁２４及び排気管３８を介して、外部に排出される。また、ピストン２２の上方への移動に従って、加圧室２７の圧力が膜容器２６の圧力より低下すると、逆止弁３２は閉じられる。更に、ハンドル２１の端部を下降させると、ピストン２２が上方に移動して、背圧室２７の圧力が負圧となると、逆止弁３０が開き、取水管３１から海水ＳＷが吸引される。なお、差動サージアブソーバ１８は、逆止弁３２が閉じ、かつ管路３４’が連絡通路２９と遮断されている場合に、内設されたばね４３により供給室１８ａの水の圧力を高めて、膜容器２６の内部空間２６ａにある水の流れが停滞しないようにしており、これにより多量の真水を摂取する際に生じる塩分の濃度分極（これが生じると、所与の生成量に得るために作動圧を高めねばらなず、膜の寿命が低下する）を防止している。
【０００７】
逆浸透を用いた海水淡水化装置２０は大きな圧力を必要とするので、上述したように、ピストン２２の背圧室２８に加圧した水を流入させる等、ハンドル２１に加える力をなるべく少なくする工夫がなされている。しかしながら、海水淡水化装置２０が、移動性、携帯性を有するような場合、例えば、これを救命用キットなどに組込む際には、小型化して収納性を向上させる必要がある。そこで、この場合には、ハンドル２１を分割して収納し、使用時にのみ長尺物とし、その端部に力を加えていた。しかしながら、海水淡水化装置２０を支持する支持台が、収納時の大きさのままであると、使用時に上方に設けられるハンドルは長尺物となるため、使用時の重心位置が収納時と異なって不安定となり、ハンドル２１に大きな力を加えにくいという問題がある。
【０００８】
従って、使用時に海水淡水化装置を安定させるように、ハンドル２１を長尺物とする際には、支持台となる装置の下方も長くしていた。この１つとして、例えば、図２１に示されるような、上方にハンドル２１’を有する海水淡水化装置２０’の支持台１４’がある。この支持台１４’は、半透膜が挿入されている本体部１１と、本体部１１と別体である長尺部１２と、収納時及び使用時に本体部１１と長尺部１２とを連結させるねじ１３とから構成されている。収納時には、図２１のＡに示されるように、長尺部１２が本体部１１の外周を覆い、ねじ１３が長尺部１２の固定部１２ａを貫通して本体部１１の外周に圧接して、長尺部１２が本体部１１に固定されている。使用時には、本体部１１と長尺部１２とをばらばらに分割し、長尺部１２を１８０°反転させて、図２１のＢに示されるように、再びねじ１３によって固定させる。しかしながら、このような構造では、使用時に、安定な支持台とするには、手間がかかり、組付け及び使用が容易ではなかった。更に、海水淡水化装置２０’の下部（図２１のＣを参照のこと）は、円筒形状となっており、すなわち底部がフラット形状ではないので、ハンドル２１’を作用させる際には、不安定であった。
【０００９】
そこで、安定性がよく、かつ手間のかからない構造として、図１９として上述したような、すなわち引き出す載置台１の構造を、支持台として用いることが考えられる。しかしながら、この場合には、使用時に本体部と引出部とを固定するための係合部を有する引出部を収納する空間（上記の空所２ｂに相当する空間）が必要であり、この構造を用いた装置の収納時における大きさが大きくなってしまう。
【００１０】
【発明が解決しようとする課題】
本発明は、上述の問題に鑑みてなされ、本体部及び引出部に大きな力が加わっても、引出部が本体部に拘持されたままである装置を、収納時には小型化にすることができる支持台を提供することを課題とする。
【００１１】
【課題を解決するための手段】
以上の課題は、外部から押圧力が加えられる装置の支持台であって、前記装置の一部が内部に収容される本体部と、前記本体部の底部外面との間に間隙を形成して前記底部外面に重ね合わされる収納位置と、前記底部外面との間に間隙が形成されることなく前記底部外面に部分的に当接して重ね合わされる引出位置との間を移動自在に前記本体部に連結される引出部と、前記本体部と前記引出部のうちの一方に設けられ、前記引出部が前記収納位置から前記引出位置へと引き出される方向に向かって斜めに延びる長孔と、前記本体部と前記引出部のうちの他方に設けられ、前記長孔に摺動可能に係合されるピンとを備える支持台、によって解決される。
【００１２】
このような構成にすることによって、引き出される方向に延びる長孔と、これに係合し本体部と引出部とを連結するピンとを設けることによって、ガイドとストッパーの２つの役割を持たすことができる。また、使用時に引出部が引き出されると、本体部と引出部とが部分的に重なり合った状態で、本体部の引き出される側に引出部が嵌合して、引出部が本体部に拘持されるので、使用時に、引出部に力が加わっても引出部が本体部から外れず、引出部が折れない程度の力であれば、その引き出された形状を保つことができる。更に、収納時に本体部と引出部との間隙だけが余分な空間として必要なだけであるので、さらに支持台の本体部の内部には、支持台によって支持される装置の一部が収容されるので、この支持台を、例えば、使用時に大きな面積に容易に広げられる支持台として用いる場合には、収納時の装置全体の大きさを最小限に抑えることができる。
【００１３】
【発明の実施の形態】
以下、本発明の実施の形態について図１乃至図５を参照して説明する。
【００１４】
図１乃至図２は、本発明の第１の実施の形態を示しているが、図１は正面図であり、図２は右側側面図である。本実施の形態の支持台は、全体として５０で示されるが、これは、本体部５１と、引出部５２と、これらを連結する２つの円柱形状の平行ピン５３とから構成されている。なお、図１における実線は、収納時の状態、すなわち引出部５２が本体部５１と全体的に重なって収納されているときを示しており、一点鎖線は使用時の状態、すなわち引出部５２が本体部５１より、矢印Ｉ方向に引き出されて拘持されたときの状態を示している。
【００１５】
本体部５１は例えばアルミニウムでなるが、図示しない形状が収納時と使用時とで異なり、その重心の位置が変わって不安定となるような装置の一部、例えばスタンドの一部であり、その下部は、図１及び図２に明示されているように、ほぼ直方体形状をしている。更に、図２に示されているように、本体部５１の下部の外方には、本体部５１の両側面５１ａ、５１ｂ及びフラットな底面５１ｃを覆うように、例えばアルミニウムでなるコの字形状の引出部５２が設けられている。すなわち、この引出部５２は、側部５２ａ、５２ｂ及び底部５２ｃから構成されている。なお、引出部５２の底部５２ｃの上面５２ｃａは、本体部５１の底面５１ｃとほぼ同じ形状、すなわちフラットな面となっている。更に、図１に示されるように、引出部５２の延在方向の長さは、本体部５１の延在方向の長さとほぼ等しく、また収納時には、引出部５２は、本体部５１から突出しない大きさとなっている。
【００１６】
引出部５２の側部５２ａ、５２ｂには、引き出される方向Ｉに向かって、かつ上方に斜めに延びる細長い貫通孔５４、５５が、それぞれ形成されている（図２参照のこと）。図１では、貫通孔５４のみが示されているが、図ではその斜めに延びることを明示するため、その傾斜を誇張して記載している。従って実際には、貫通孔５４はもっと緩やかな傾斜を有している。そのため後述する間隙ｒも、図では実際より大きく示されている。なお、貫通孔５５は図示しないが、貫通孔５４と完全に整合するように設けられている。また、この貫通孔５４、５５のそれぞれに、ステンレス（ＳＵＳ）で成る平行ピン５３が係合している。平行ピン５３は、引出部５２が本体部５１に拘持される使用状態で引出部５２の貫通孔５４、５５の最上端部５４ｃ、５５ｃの位置に相当する本体部５１の位置に、外方から固設されている。
【００１７】
本実施の形態の支持台５０は、上述したように構成されるが、次に、この作用について説明する。
【００１８】
収納時には、図１に実線で示されているように、平行ピン５３がこの貫通孔５４、５５の引出し側、すなわち最上端部５４ｃ、５５ｃに位置している。このとき、図２のＡに明示されているように、本体部５１と引出部５２とは遊びをもった状態で全体的に重なっており、引出部５２の右側端部は、本体部５１の右側端部に当接している。そのため、本体部５１と引出部５２との間には、すなわち本体部５１の底面５１ｃと引出部５２の底部５２ｃの上面５２ｃａとの間には、最大の高さで約３ｍｍ程度の間隙ｒが生じている。
【００１９】
使用するときには、引出部５２の外方を掴んで、引出部５２が図１の矢印Ｉ方向に引き出す。このとき、引き出される方向Ｉに向かって上方に斜めに延びる貫通孔５４、５５には本体部５１に固定されている平行ピン５３が挿入されているので、貫通孔５４、５５が形成されている引出部５２が移動すると、平行ピン５３の中心から引出部５２の底部５２ｃの上面５２ｃａまでの距離が徐々に小さくなり、引出部５２が本体部５１に対して徐々に上昇する。そして、平行ピン５３が貫通孔５４、５５の最下端部５４ｄ、５５ｄに至ると、平行ピン５３から引出部５２の底部５２ｃの上面５２ｃａまでの距離が、平行ピン５３から本体部５１の底面５１ｃと等しくなる。すなわち、図２のＢで示されるように、本体部５１と引出部５２とが部分的に重なり合った状態で、引出部５２の底部５２ｃが、本体部５１の底面５１ｃに嵌合して、引出部５２が本体部５１に拘持される。
【００２０】
本実施の形態では、引出部５２を引き出す際に、平行ピン５３が引出部５２に形成された貫通孔５４、５５に係合されるので、これによりガイドされ、かつ、引出部５２がある程度引き出されると、本体部５１と嵌合して、引出部５２が本体部５１に拘持される。従って、ガイドとストッパーとを別個に設ける必要がない。また、収納時に余分な空間は、本体部５１と引出部５２との遊び、すなわち本実施の形態では最大で約３ｍｍ程度の間隙ｒだけであり、更にこれは使用時にはなくなるので、引出部５２を収納するために必要な空間を小さいものとすることができる。
【００２１】
なお、本実施の形態では、収納時に、引出部５２と本体部５１とが当接しているので、図１の下方に力が加わる場合でも平行ピン５３に加わる負荷を低減することができる。また、本実施の形態では、貫通孔５４、５５を有した引出部５２が本体部５１の外周を覆うように設けられ、その後に、平行ピン５３により、引出部５２と本体部５１とを連結させるようにしたので、組み立てた後に不安定であると判明した装置の下方に、引出部５２を取り付けて、装置を安定にすることが容易にできる。
【００２２】
次に、本発明の第２の実施の形態の支持台５０”について、図３乃至図５を参照して説明するが、上記実施の形態と同様な部分については、同一の符号を付し、その詳細な説明は省略する。なお、本実施の形態の支持台５０”も、上記第１の実施の形態と同様に、本体部５１”と、本体部５１”の外方に設けられた引出部５２”と、本体部５１”と引出部５２”とを連結する円柱形状の平行ピン５３とから構成されている。
【００２３】
図３は、本実施の形態の支持台５０”の正面図であるが、図において実線は収納時の状態を示しており、二点鎖線は引出部５２”が矢印Ｉ”方向に引き出されて本体部５１”に拘持された状態を示している。また、図３の一点鎖線は、平行ピン５３が後述する収納孔５８、５９と貫通孔５４、５５との連結部に位置している状態、すなわち引出部５２”が本体部５１”と遊びをもった状態で全体的に重なり合っている状態を示している。なお、図４は、このときの［８］−［８］線方向の断面図である。また、図５は、引出部５２”が引き出されて本体部５１”に拘持された状態での［９］−［９］線方向の断面図である。
【００２４】
本体部５１”は、上記第１の実施の形態の本体部５１と同様な部品の一部であり、その下部は、図４及び図５に示されるように、ほぼ直方体形状をしている。更に、上記第１の実施の形態と同様に、本体部５１”の両側面５１ａ”、５１ｂ”及び底面５１ｃ”を覆うように、引出部５２”が設けられている。すなわち、この引出部５２”は、側部５２ａ”、５２ｂ”及びフラットな底部５２ｃ”からなるコの字形状をしている。なお、引出部５２”の底部５２ｃ”の上面は、本体部５１”の底面５１ｃ”とほぼ同じ形状、すなわちフラット形状をしている。更に、図３に示されるように、引出部５２”の延在方向の長さは、本体部５１”の延在方向の長さとほぼ等しく、また収納時には、引出部５２”は、本体部５１”から突出しない大きさとなっている。
【００２５】
更に、本実施例では、本体部５１”の側面５１ａ”、５１ｂ”には、引き出される方向、すなわち矢印Ｉ”方向に向かって、かつ上方に斜めに延びる細長い孔５６、５７が、それぞれ形成されている。図において、孔５６、５７は、その斜めに延びることを明示するため、その傾斜を誇張して記載しているが、実際には、もっと緩やかな傾斜を有している。更に、孔５６、５７の左側端部５６ｄ、５７ｄには、本体部５１”の底面に対し直角に延びる収納孔５８、５９が、孔５６、５７のそれぞれと連結するように設けられている。
【００２６】
平行ピン５３は、引出部５２”に設けられ、引き出される際に、孔５６、５７にそれぞれ摺動可能にされている。すなわち、引出部５２”が本体部５１”に拘持される使用状態で本体部５１”の孔５６、５７の右側端部５６ｃ、５７ｃの位置に整合する貫通孔５２ｆ”が、引出部５２”に設けられ、ここに、外方から、孔５６、５７に平行ピン５３が挿入されている。
【００２７】
すなわち、本実施の形態の支持台５０”は、上記第１の実施の形態で示した支持台５０の本体部５１に設けた平行ピン５３を引出部５２”に、引出部５２に設けた貫通孔５４、５５に相当する孔５６、５７を本体部５２”に設けたものである。
【００２８】
支持台５０”では、収納時に、図３の実線で示されるように、平行ピン５３が収納孔５８、５９の上端部に位置しており、また引出部５２”の底部５２ｃ”の上面が本体部５１”の底面５１ｃ”に全面的に当接している。
【００２９】
使用するときには、引出部５２”の外方を掴んで、まず引出部５２”を外方に引き出す。すると、平行ピン５３が収納孔５８、５９を摺動して、収納孔５８、５９の下端部、すなわち孔５６、５７の左側端部５６ｃ、５７ｃに位置する。このとき、一点鎖線で示される状態となり、すなわち本体部５１”と引出部５２”との間には間隙ｒ”が生じる。更に、引出部５２”の外方を掴んで、引出部５２”を矢印Ｉ方向に引き出す。すると、引出部５２”に設けられている平行ピン５３が、引き出す方向に向かって上方へと斜めに延びる孔５６、５７を摺動するので、平行ピン５３の中心から引出部５２”の底部５２ｃ”の上面５２ｃａ”までの距離が徐々に小さくなり、引出部５２”は徐々に上昇する。そして、平行ピン５３が、孔５６、５７の右側端部５６ｃ、５７ｃの近傍に至ると、平行ピン５３から引出部５２”の底部５２ｃ”の上面５２ｃａ”までの距離が、平行ピン５３から本体部５１”の底面５１ｃ”と等しくなる。すなわち、図３の二点鎖線で示すように、引出部５２”の底部５２ｃ”が、本体部５１”の底面５１ｃ”に嵌合して、引出部５２”が本体部５１”に拘持される。
【００３０】
本実施の形態では、引出部５２”を引き出す際に、平行ピン５３が引出部５２”に設けられた貫通孔５６、５７に係合されるので、これらによりガイドされる。また、引出部５２”がある程度引き出されると、本体部５１”と嵌合して、引出部５２”が本体部５１”に拘持する。従って、ガイド部とストッパーとを別々に設ける必要がない。
【００３１】
また、本実施の形態では、孔５６、５７と連通する収納孔５８、５９を設け、収納時に、平行ピン５３がこの収納孔５８、５９に収納されているときには間隙ｒ”がなくなるようにしたので、収納時の装置全体の大きさを一層、小さくすることができる。また、収納時に間隙ｒ”がないので、平行ピン５３を中心として引出部５３”が回動することがなく、がたつきが生じない。加えて、図３に示す姿勢（図の下方に重力が加わる状態）で、収納されても、引出部５２”の底部５２ｃ”の上面５２ｃａ”全体で本体部を支持していることになるので、連結部である平行ピン５３に過大な力が剪断力が加わることがなく、本体部５１”と引出部５２”との連結が解かれることがない。
【００３２】
【実施例】
次に、本発明の支持台の具体的実施例として、救命用キットに搭載される海水淡水化装置について、図６乃至図１１を参照して説明する。ただし、上記従来例の海水淡水化装置２０と同様な部分は、同一の符号を付し、その詳細な説明は省略する。ただし、本実施例の海水淡水化装置は、従来例の海水淡水化装置２０の構造の主要部であるシリンダ２３や膜容器２６を横向きにして配設されている。
【００３３】
図６は本発明を用いた海水淡水化装置６０の使用時の、すなわちハンドル６１が矢印Ｊ方向に引き出され長尺物となり、支持台６３の引出部７６を引き出した状態を示す斜視図であり、図７は使用時の海水淡水化装置６０の正面図、図８は使用時の海水淡水化装置６０の右側側面図であり、図９は収納時の海水淡水化装置６０の正面図を示している。
【００３４】
図６に示されるように、本実施例の海水淡水化装置６０は、ハンドル６１とシリンダ部６２と、従来例の膜容器２６を本体部７５とする支持台６３とから構成されている。シリンダ部６２の上部には、海水を取り込む取水ホース６８が取り付けられており、この取水ホース６８の端部には、フィルタを内蔵した取水部６４が設けられている。また、シリンダ部６２の下部には、水分が分離されて塩分濃度が高くなった濃縮水が排出される排水ホース６７が取り付けられている。なお、ハンドル６１は、後述するように、第１部材７１、第２部材７２及び第３部材７３から構成され、それらの重なり部分に皿ばね６５、６６が挿入されている。なおまた、最も外方にある第３部材７３の上部には、引き出す方向を示した矢印Ｊが表示されている。また、支持台６３は、従来例の膜容器２６に相当する本体部７５と、レッグ・ストラップ７０（端部が面ファスナーもしくはベルクロ（商標名マジックテープで知られる）となっている）が設けられている引出部７６と、本体部７５と引出部７６とを結合するピン７７とより構成されており、その中央には、造水ホース６９が取り付けられている。なお、排水ホース６７、取水ホース６８及び造水ホース６９は、透明のプラスチックでなるフレキシブル（Ｆｌｅｘｉｂｌｅ）なチューブである。
【００３５】
図７に示すように、ハンドル６１は、例えばアルミニウムから成り、これは延在方向にほぼ同じ長さで３つに分割可能となっており、すなわち、ハンドル６１は、ほぼ同じ長さを有する第１部材７１、第２部材７２及び第３部材７３から構成されている。図８で示されるように、第１部材７１の外周には第２部材７２が設けられ、第２部材７２の外周には第３部材７３が設けられている。そのため、図９に示される収納状態では、第１部材７１、第２部材７２及び第３部材７３は入れ子状態になっている。また、図８に示されるように、第１部材７１は、下方に開口７１ａを有したコの字形状をしており、その両側部の中央には、延在方向に延び外方に突出するレール７１ｂが設けられている。また、第２部材７２は、下方に開口７２ａを有したコの字形状をしており、その開口７２ａの両端部には、延在方向に延び内方に突出するレール７２ｂが設けられている。更に、第３部材７３は、第２部材７２と同様な形状をしており、すなわち、下方に開口７３ａを有したコの字形状をし、その開口７３ａの両端部には、延在方向に延び内方に突出するレール７３ｂが設けられている。また、第１部材７１のレール７１ｂの下面７１ｂｂは、第２部材７２のレール７２ｂの上面７２ｂａと対向しており、第２部材７２のレール７２ｂの下面７２ｂｂは、第３部材７３のレール７３ｂの上面７３ｂａと対向している。また、第１部材７１の内部には、シリンダ部６２の上部が、第１部材７１の開口７１ａに介在して挿入されている。
【００３６】
また、第１部材７１の上壁部７１ｆの上面で、使用時に第２部材７２と重なる部分には、凹部７１ｄが設けられており、この凹部７１ｄに嵌合するように、中央に孔６５ａを有した円錐台形状の皿ばね６５が設けられている。同様に、第２部材７２の上壁部７２ｆの上面で、使用時に第３部材７３と重なる部分には、凹部７２ｄが設けられており、この凹部７２ｄに嵌合するように、中央に孔６６ａを有した円錐台形状の皿ばね６６が設けられている。なお、これら皿ばね６５、６６は、例えばステンレス鋼（ＳＵＳ）や青銅で形成されている。また、皿ばね６５の自由状態の高さは、レール７１ｂがレール７２ｂと当接した際に、第１部材７１の上壁部７１ｆと第２部材７２の上壁部７２ｆとの間に生じる間隙ｔの大きさより大きく、また、皿ばね６６の自由状態の高さは、レール７２ｂがレール７３ｂと当接した際に、第２部材７２の上壁部７２ｆと第３部材７３の上壁部７３ｆとの間に生じる間隙ｔ’の大きさより大きくなっている。すなわち、皿ばね６５、６６は、ここでは圧縮状態で挿入されている。従って、図９に示される収納時の状態でも、第３部材７３のレール７３ｂの上面７３ｂａは、第２部材７２のレール７２ｂの下面７２ｂｂに当接し、第２部材７２のレール７２ｂの上面７２ｂａは、第１部材７１のレール７１ｂの下面７１ｂｂに当接し、間隙ｔ、ｔ’が設けられている。
【００３７】
更に、第３部材７３の上壁部７３ｆの左方の下面には、皿ばね６６の孔６６ａの内径より小さい外径を有する円柱形状の突部７３ｃが設けられており、同様に、第２部材７２の上壁部７２ｆの左方の下面にも、皿ばね６５の孔６５ａの内径より小さい外径を有する円柱形状の突部７２ｃが設けられている。
【００３８】
また、図９において、第１部材７１の左方に、孔７１ｅが設けられおり、ここに、例えばプラスチックでなるストッパー７４が螺合している。また、第３部材７３の左方には、左側端部から細長く延びる切欠き７３ｅが設けられ、第２部材７２の左方にも、切欠７３ｅと同様な形状の切欠き７２ｅが設けられている。これら切欠き７３ｅ、７２ｅは、収納時にストッパー７４に係合して、第３部材７３及び第２部材７２がこれより左方に移動しないようにしている。すなわち、ハンドル６１が収縮される収納時に、切欠き７３ｅ、７２ｅがストッパー７４に係合されると、第３部材７３及び第２部材７２が第１部材７１ときれいに整合する。
【００３９】
一方、支持台６３は、図８に示されているように、本体部７５と、この本体部７５の下方の側面７５ａ、７５ｂ及び底面７５ｃを覆うようなコップ形状をしている引出部７６と、本体部７５に一体的に設けられているピン７７とから構成されている。本体部７５と引出部７６はアルミニウムでなり、ピン７７はステンレスでなる平行ピンである。引出部７６は、本体部７５の側面７５ａ、７５ｂをそれぞれ覆う側部７６ａ、７６ｂと、底面７５ｃを覆う底部７６ｃとよりなり、その延在方向の長さは、図９に示されるように、本体部７５のそれとほぼ等しくなっている。引出部７６の底部７６ｃには、図８に示されるように、引出部７６を引出した後に、レッグ・ストラップ６９を取り付けるための２列の貫通孔７６ｃａが設けられている。
【００４０】
支持台６３の側部７６ａには、引出部７６が引き出される方向、すなわち図７において右方向で、かつ上向きに延びる細長いスリット形状の貫通孔７６ａａが設けられている。また、側部７６ｂには、引出部７６が引き出される方向で、かつ上向きに延び、貫通孔７６ａａと平行な細長いスリット形状の貫通孔７６ｂａが設けられている。本実施例では、貫通孔７６ａａ、７６ｂａは同じ長さ、同じ高さに設けられており、すなわちこれらは整合している。この貫通孔７６ａａ、７６ｂａに嵌合するように、円柱形状のピン７７が、本体部７５の側面７５ａ、７５ｂのそれぞれに設けられ、本体部７５と引出部７６とを結合している。なお、図９に示すように、ピン７７が貫通孔７６ａａ、７６ｂａの最も上方部に位置しているときには、ピン７７の中心から引出部７６の底部７６ｃの上面までの距離Ｌ2 がピン７７の中心から本体部７５の底面７５ｃまでの距離Ｌ1 より長く、ピン７７が貫通孔７６ａａの最も下方部に位置しているときには、ピン７７の中心から引出部７６の底部７６ｃの上面までの距離Ｌ2 ’は、ピン７７の中心から本体部７５の底面７５ｃまでの距離Ｌ1 より短くなるように、貫通孔７６ａａ、７６ｂａの位置が決められている。また、本体部７５は、従来例の膜容器２６に相当し、すなわちその内部には、図示しない半透膜が、造水量を多くするためにスパイラル型膜モジュールとして挿入されている。
【００４１】
図１０は、ハンドル６１とシリンダ部６２との連結部分を示す部分破断拡大図である。シリンダ部６２は、図１０に図示しないが、図２０に示される方向制御弁２４とシリンダ２３との延在方向が横方向に延びるように内蔵しており、すなわち、本実施例では、方向制御弁２４のスプール３７及びシリンダ２３のピストン２２とハンドル６１の延在方向が平行となっている。なお、シリンダ部２３は、その下方の突出部に、４本の六角孔付きボルト４８を上から挿通させることによって、支持台６３にねじ止めで、一体的に固定されている。また、従来例と同様に、ハンドル６１にピン４１を介して結合するリンク部材３６と、スプール３７がピン４２を介して結合している。また、ハンドル６１は、ピン１９を介してピストン２２と結合している。なお、図において実線は、ハンドル６１が最も下方にある場合の位置、すなわちスプール３７が最も右側の位置にあり、ピストン２２が最も左側の位置にあるときを示しており、図において一点鎖線は、ハンドル６１が最も上方にある場合の位置、すなわちスプール３７が最も左側の位置にあり、ピストン２２が最も右側の位置にあるときを示している。なおまた、４５、４６は、構造上、ハンドル６１の第１部材７１を２つに分解して組み付ける必要があるので、第１部材の組付けに必要であるねじを示している。
【００４２】
本発明の長尺物の収納構造を用いた海水淡水化装置６０は、上記のように構成されるが、次に、この作用について説明する。
【００４３】
使用しない時には、図９に示されるように、第１部材７１、第２部材７２及び第３部材７３は、入れ子状態で相重なっている。また第２部材７２の切欠き７２ｅ及び第３部材７３の切欠き７３ｅはストッパー７４に係合している。また、支持台６３の引出部７６も本体部７５に収納されており、ピン７７は、引出部７６が収納されている状態では、貫通孔７６ａａの右側端部の近傍に位置している。すなわち、ピン７７が貫通孔７６ａａ、７６ｂａの最も上方部に位置し、ピン７７の中心から引出部７６の底部７６ｃの上面までの距離Ｌ2 は、ピン７７の中心から本体部７５の底面７５ｃまでの距離Ｌ1 より長くなっており、ピン７７の位置での本体部７５の底面７５ｃと引出部７６の底部７６ｃとの間には、約３ｍｍ程度の間隙Ｑが生じている。更に、収納時には、図示しないが、排水ホース６７、取水ホース６８及び造水ホース６９は、海水淡水化装置６０の全体を巻装している。また、レッグ・ストラップ７０も、図９の一点鎖線で示すような位置で重ねて、海水淡水化装置６０の全体を巻装しているが、その端部の面ファスナーによってレッグ・ストラップ７０の巻装が解けないようにされている。なお、場合によっては、レッグ・ストラップ７０の端部に紐を取り付け、この紐によって収納時にレッグ・ストラップ７０の巻装が解けないようにしてもよい。すなわち、レッグ・ストラップ７０が海水淡水化装置６０の全体を巻装しているので、本実施例の収納時に、引出部７６がピン７７を中心として回動することはなく、がたつきが生じていない。
【００４４】
救命用キットの海水淡水化装置６０が使用される場合には、救命用キット内に収容されているゴムボート４７を海上４９に広げ、人がその上に着座してから、海水淡水化装置６０を取り出す。そして、まず、排水ホース６７、取水ホース６８、造水ホース６９及びレッグ・ストラップ７０の巻装をはずす。そして、図９に示される状態において、まず最も外方にある第３部材７３を掴み、右方へと引き出す。すると、第３部材７３は、そのレール７３ｂが第２部材７２のレール７２ｂにガイドされて、また皿ばね６６に上方に押圧されて、右方へと移動する。第３部材の突部７３ｃが、皿ばね６６の近辺に至ると、皿ばね６６を下方に押しながら更に右方に移動する。そして、孔６６ａに至ると、皿ばね６６が弾性力で上方に戻り、突部７３ｃが皿ばね６６の孔６６ａに嵌合して、第３部材７３と第２部材７２とが係止される。その後、更に、第３部材７３を右方へ引き出すと、今度は、第３部材に係止されている第２部材７２が、そのレール７２ｂが第１部材７１のレール７１ｂにガイドされ、右方へと移動する。そして、第３部材の移動と同様に、皿ばね６５の孔６５ａに至ると、皿ばね６５が弾性力で上方に戻り、突部７２ｃが孔６５ａに嵌合して、第２部材７２と第１部材７１とが係止され、ハンドル６１は、図６及び図７で示されるような状態となる。
【００４５】
次に、支持台６３の引出部７６を図９で示される位置から右方へと引き出す。このとき、ピン７７は、貫通孔７６ａａ、７６ｂａに嵌合しているので、引出部７６は、ピン７７にガイドされながら、右方へ移動し、ピン７７の中心から引出部７６の底部７６ｃの上面までの距離Ｌ2 は徐々に小さくさくなり、本体部７５に対して引出部７６が徐々に上方に移動する。そして、ピン７７が貫通孔７６ａａ、７６ｂａの左側端部の近傍に至ると、ピン７７の中心から引出部７６の底部７６ｃの上面までの距離Ｌ2 は、ピン７７の中心から本体部７５の底面７５ｃまでの距離Ｌ1 より小さくなり、引出部７６の底部７６ｃが本体部７５の底面に拘持されて、支持台６３が図６及び図７で示されるような状態となる。
【００４６】
そして、支持台６３の引出部７６の貫通孔７６ｃａにレッグ・ストラップ７０を通し、更に、図１１に示すように、取水ホース６８の取水部６４及び排水ホース６７の先端を海水に沈める。そして、レッグ・ストラップ７０をしっかりと足に巻き付ける。なお、場合によっては、本体部７５と引出部７６との間隙Ｑを大きくし、レッグ・ストラップ７０が貫通孔７６ｃａに通された状態で収納されていてもよい。
【００４７】
次に、ハンドル６１を上下に動かして、造水を行う。ハンドル６１を上下に動かすと、従来例の海水淡水化装置２０のように、まずピン１９を中心として往復回動し、スプール３７が図１０の左右方向に移動する。そして、スプール３７がその左右端部で固定されると、今度はピン４１を支点として、ピストン２２が移動する。このときの内部の動きは、従来の海水淡水化装置２０と同一であるので、その説明は省略するが、このように、本実施例ではハンドル６１を上下に動かすことによって、海水から真水を得る。
【００４８】
ただし、造水ホース６９から真水が出るまでは、ハンドル６１を少し速めに（１分間に約６０〜８０回程度）動かし、造水ホース６９から水が出始めたら、ややゆっくりと（１分間に約４０回程度）動かす。ハンドル６１の速度を落としてから最初の２分間は、塩分が多少混入しているので、飲まずに捨てる。その後、造水ホース６９を口にくわえて飲む。なお、造水量は、ハンドル６１の上下の動きを速くすれば多くなり、だいたい１分間に４０回程度の速度で、１回当たり数滴の真水が得られる。
【００４９】
本実施例の海水淡水化装置６０は、本発明の長尺物の収納構造を用いることにより、収納時にはハンドル６１を構成する部材を入れ子状態で保存し、更に、ハンドル６１を構成する第１部材７１の内部に、シリンダ部６２の上部が挿入されているので、ハンドル６１の内部を有効に利用できる。また、第１本体部７１、第２本体部７２及び第３本体部７３を相互に係止する皿ばね６５、６６の高さがごく低いことも、海水淡水化装置６０を一層、小形にしている。更に、支持台６３では、本体部７５の外周に引出部７６を最大の約３ｍｍ程度の遊びをもった状態で設けられているだけであることも、収納時の大きさを小さくすることに寄与している。すなわち、本実施例の海水淡水化装置６０は、使用時にねじで組み立てる従来例の海水淡水化装置（図２１に示されているものと同一）と比較すると、図１２の下方に示されている本実施例の海水淡水化装置６０の全長Ｍは、図１２の上方に示されている従来例の海水淡水化装置の全長Ｍ’よりＬ小さく、すなわち全長がほぼ半分程度となっている。なお、詳細に述べると、本実施例の海水淡水化装置６０は、全長Ｍが１１０ｍｍ、全高Ｈが１１３ｍｍ、全幅が５８ｍｍであり、従来例の海水淡水化装置は、全長Ｍ’が２０３ｍｍ、全高Ｈ’が１２５ｍｍ、全幅が５９ｍｍである。従って、本実施例の海水淡水化装置６０では、全長がＬ＝９０ｍｍ小さいだけではなく、その高さも１２ｍｍ程度低くなっている。
【００５０】
本実施例の海水淡水化装置６０では、そのハンドル６１が収納時には分割され、使用時に長尺物となって、力が加えられても、ハンドル６１を構成している第１部材７１、と第２部材７２及び第２部材７２と第３部材７３が係止されているので、ハンドル６１が収縮されることなくそのままの長さを保つことができる。また、第１部材７１と第２部材７２及び第２部材７２と第３部材７３は、それぞれの間に配設されている皿ばね６５、６６によって係止されているので、これらを係止するために必要な空間を最小限に抑えることができる。すなわち、レール７１ｂ、７２ｂ、７３ｂ同士が密着することによって、その収納スペースはごく小さいものとすることができる。更に、係止する皿ばね６５、６６は、それぞれに当接する第１部材７１と第２部材７２及び第２部材７２と第３部材７３を押圧しているので、ハンドル６１の重なり部分には、がたつきがない。従って、ハンドル６１に加える力を効率良く利用することができる。
【００５１】
また、第１部材７１、第２部材７２及び第３部材７３の断面形状が下方に開口を有した形状としているため、第１部材７１の内部に、シリンダ部６２の上部を挿通させており、すなわち第１部材７１の内部の空間を利用しているので、海水淡水化装置６０の高さをより小さくすることができる。また、皿ばね６６、６５に係合する突部７２ｃ、７３ｃの断面形状が長方形をしているので、一旦、皿ばね６５、６６の孔６５ａ、６６ａに突部７２ｃ、７３ｃが嵌合すると、その嵌合は容易に取ることができず、従って、ハンドル６１に、大きな力を加えても、このハンドル６１は、その長さを保つことができる。
【００５２】
また、海水淡水化装置６０の支持台６３が、引出部７６に貫通孔７６ａａ、７６ｂａを形成し、この貫通孔７６ａａ、７６ｂａに係合するように、本体部７５と引出部７６とを連結するピン７７を本体部７５に固着したので、引き出す際に、引出部７６がガイドされる。また、使用時に、引出部７６が引き出されると、本体部７５と引出部７６とが部分的に重なり合った状態で、本体部７５の引出す側に嵌合して、引出部７６が本体部７５に拘持されるので、簡単な構造で、引出部７６を強固に本体部７５に支持させることができる。すなわち、貫通孔７６ａａ、７６ｂａと、これに嵌合するピン７７とを設けるだけで、引出部７６のガイドとストッパーとの両方の機能を合わせもつことができる。従って、使用時に装置の上方に設けられているハンドル６１を延ばして、装置が不安定となるときには、同時に支持台６３の引出部７６を延ばすので、安定してハンドル６１を上下に作動することができる。なお、支持台６３の底部はフラット形状となっているので、より安定性がよくなる。なおまた、上記実施例の支持台６３としての本体部７５及び引出部７６の延在方向の長さは、収納した状態で海水淡水化装置６０の（最も長い）全長の長さより短くなっているが、これを全長の長さと同じ大きさとして、引出部７６が拘持された際の長さが、ハンドル６１の長さとほぼ同じ長さとなるようにして、より安定性を向上させてもよい。
【００５３】
従って、本発明を用いた海水淡水化装置６０において、収納した状態では、空き空間の少ない、全体として直方形状のブロックとすることができる。
【００５４】
以上、本発明の実施例について説明したが、勿論、本発明は、これに限定されることなく、本発明の技術的思想に基づいて、種々の変形が可能である。
【００５５】
例えば、上記実施の形態及び上記実施例の引出部では、一方の側壁に設けた（引き出される方向に向かって斜めに延びる細長い）貫通孔５４及び孔５６と、他方の側壁に設けられた（引き出される方向に向かって斜めに延びる細長い）貫通孔５５及び孔５７がほとんど整合するように設けたが、一方の側壁に設けられた貫通孔５４及び孔５６と、他方の側壁に設けられた貫通孔５５及び孔５７とが、整合していなくとも、またその傾斜が異なっていても、使用時に、引出部が本体部に嵌合して、引出部が本体部に拘持されればよい。また、上記実施の形態及び実施例では、引出部及び本体部の一方に（引き出される方向に向かって斜めに延びる細長い）孔を設け、引出部及び本体部の他方に連結部であるピンを設けるようにしたが、本体部と引出部のそれぞれに（引き出される方向に向かって斜めに延びる細長い）孔と連結部材を設けるようにしてもよく、例えば、本体部の一方の側面に孔を、及び他方の側面にはピンを設け、これらの孔及びピンに係合するように、引出部の一方の側部にピンを、他方の側部に（引き出される方向に向かって斜めに延びる細長い）孔を設けるようにしてもよい。
【００５６】
また、上記実施の形態及び上記実施例では、連結部として、入手が容易であるという点から円柱形状の平行ピンを用いたが、例えば、引出部又は本体部に螺刻し、平行ピンの代わりにボルトを螺着させてもよい。ただし、この場合には、ボルトのねじの部分が引出部の収納及び使用によって緩むことを考慮した構造とすることが必要である。例えば、呼び径六角ボルトを用い、ねじが切られている部分を本体部に設け、そのねじが切られていない部分を、引き出される方向に斜めに延びる細長い孔に係合するとよい。また、連結部は、収納時に本体部と引出部とが遊びをもった状態で連結させ、使用時に孔に対して摺動するので、剪断力が加わるので、剛性の高い材料で形成するのが好ましい。
【００５７】
なお、上記実施の形態及び上記実施例では、一方向に引き出されるものとして説明したが、両方向に引き出されるものとしてもよい。その１つとして例えば、図１３に一点鎖線で示されるように、ピンなどの連結部８３が固着された本体部８１の外周を覆う引出部８２に、孔８４が設けられている。この孔８４は、その中央部８４ａは引出部８２の底面と平行になっているが、側部８４ｂ、８４ｃは、それぞれ引き出される方向で下方に向かって斜めに延びる細長い形状をしている。従って、図１３のＡに示すように、収納時の位置より引出部８２が左方に引き出される場合には、孔８４の側部８４ｂに連結部８３が摺動されるように引き出され、側部８４ｂの右側端部８４ｂａに位置すると、引出部８２は、図の実線で示されるように本体部８１に拘持される。また図１７のＢに示すように、収納時の位置より引出部８２が右方に引き出される場合には、孔８４の側部８４ｃに連結部８３が摺動されるように引き出され、側部８４ｃの左側端部８４ｃａに位置すると、引出部８２は、図の実線で示されるように本体部８１に拘持される。更に、図１３のＣで示されるように、孔８４の中央部８４ａに、中央部８４ａに対して直角で下方に延びる収納孔８８を設け、収納時に、収納孔８８に連結部８３を収納して、本体部８１と引出部８２との間に生じた間隙Ｐを実線で示すように、なくすようにしてもよい。
【００５８】
更に、上記第３の実施の形態では、本体部５１”に設けた（引き出す方向Ｉ”に向かって上方に延びる細長い）孔５６、５７に連通する収納孔５８、５９を設けたが、上記第１の実施の形態に示される引出部５２に設けた（引き出す方向Ｉに向かって斜めに延びる細長い）貫通孔５４、５５に連通する収納孔を設けてもよいことは言うまでもない。また、収納孔は、上記第３の実施の形態及び図１３のＣに示される収納孔８８のように、本体部５１”、８１の底面に直角に（すなわち垂直に延びるように設ける必要はなく、例えば、図１４のように、本体部８１’に固着された連結部８３’が摺動可能に挿通される貫通孔８４’（これは引出部８２’に引き出される方向Ｋ’に向かって上方に延び、細長く形成されている）の右側端部８４ｄ’に連通するように、引き出される方向Ｋ’に向かって斜め下方に延びる収納孔８８’を設けるようにしてもよい。このときも、上記第２の実施の形態と同様に、収納時には、図１４の実線で示されるように、連結部８３’は収納孔８８’に収納され、本体部８１’と引出部８２’との間には間隙が生じないので、収納時の高さを一層小さくすることができる。また、本体部８１’と引出部８２’とが当接しているので、連結部８３’を中心として回転することがなく、がたつきが生じない。なお、収納孔８８’と貫通孔８４’とが連通する部分に連結部８３’が位置する（一点鎖線で示される）ときには、本体部８１’と引出部８２’との間には間隙Ｐ’が生じ、その後、引出部８２’が更に引き出され、二点鎖線で示されるように連結部８３’が貫通孔８４’の左側端部８４ｃ’に至ると、本体部８１’に引出部８２’が嵌合されて、引出部８２’が本体部８１’に拘持される。
【００５９】
また、上記実施の形態及び上記実施例では、引出部は１つしか示さなかったが、これを複数、設けるようにしてもよい。すなわち、図１５に示すように、本体部８５の外方に、第１の引出部８６を設け、この第１の引出部８６の外方に第２の引出部８７を設ける。第１の引出部８６及び第２の引出部８７には引き出される方向で上向きに傾斜する細長い通孔８６ａ、８７ａがそれぞれ設けられている。また、これら貫通孔８６ａ、８７ａに、それぞれ嵌合するように、本体部８５の右方及び第１の引出部８６の右方に、ピン８９、８９’が固着されている。収納時には、図１５に実線で示されるように、第１の引出部８６は本体部８５との間に間隙ｖを有して全体的に重なり合っており、また第２の引出部８７は第１の引出部８６の間に間隙ｗを有して全体的に重なり合っている。使用するときには、外方の第２の引出部８７を掴んで、右方に引き出すと、まず、第２の引出部８７が、これに設けられた貫通孔８７ａがピン８９’にガイドされながら第１の引出部８６に対して上昇し、第２の引出部８７が第１の引出部８６の底面８６ｃに嵌合して拘持される。更に、第２の引出部８７を右方に引き出すと、第１の引出部８６が、これに設けられた貫通孔８６ａがピン８７にガイドされながら第２の引出部８５に対して上昇し、本体部８５の底面８５ｃに第１の引出部８６が嵌合して、本体部８５と第１の引出部８６が拘持されて、図１５に一点鎖線で示す状態となる。
【００６０】
また、上記実施の形態及び上記実施例では、本体部と引出部の形状をコの字形状としたが、他の形状でもよく、例えば、本体部と引出部が嵌合する面が円弧状のＵ字形状であってもよい。また、上記実施の形態及び上記実施例では、引出部又は本体部に２つの孔を設けたが、例えば、図１６及び図１７に示されるように、引出部９２の側壁に引き出す方向に向かって上方に延びる細長い貫通孔９２ａを１か所設け及びこれに係合する連結部９３を１つ設けて、収納時には図１６のＡ及び図１７のＡに示されるように、本体部９１と引出部９２とが間隙ｕをもって重ね合っており、図１６のＢ及び図１７のＢで示されるように、引出部９２が、断面がほぼ三角形状の本体部９１から引き出されたときに、引出部９２が本体部９１に嵌合し、拘持されるような構造であってもよい。なお、この場合、連結部９３は、貫通孔９２ａの幅より大きい外径の頭を有するリベットとすれば、本体部９１と引出部９２との連結が容易には外れない。なおまた、この貫通孔９２ａに連通する収納孔を設けて、収納時に間隙ｕが生じないようにしてもよい。
【００６１】
更に、上記実施の形態及び上記実施例では、上方に開口を有するコの字形状の支持台として説明したが、下方に開口を有するコの字形状とし、その上面に物を載せるような台としてもよいし、側方に開口を有するコの字形状としてもよい。特に、本発明は、使用時に、収納時と重心の位置が変わり、不安定となるような物の支持台として用いるのに、好適であり、例えば、化学実験などでフラスコなどを固定するクランプやリングを取り付ける架台の支持台として用いれば、収納時の架台の大きさ（幅）を小さくすることができる。また、例えば、紙に孔を開けるパンチの押圧部や大型のステープラー（商標名、ホッチキスで知られる）の押圧部やスパナなどの柄などを上記実施例で示したハンドルのように分割して収納するようにした時に、本発明を支持台として用いれば、これら装置の収納時の大きさをより小さくすることができる。
【００６２】
【発明の効果】
本発明は、以上説明したようなものであるから、以下に記載されるような効果を奏するものである。
【００６３】
引き出される方向に斜めに延びる細長い孔と、この孔に対して摺動可能に設けられ、引出部と本体部とを連結する連結部材を設けることより、ガイドとストッパーの機能を併せもつことができる。また、使用時に、引出部と本体部とが部分的に重なり合った状態で、引出部が本体部に嵌合して引出部が本体部に拘持されるので、引き出された引出部に力が加わったとしても、容易に本体部から外れず、引出部が折れない限り、使用時の形状を保つことができる。従って、例えば、引出部に物が載置されたり内蔵される場合に、引出部が外れて、物が損傷をしたりすることがない。
【００６４】
更に、本発明では、収納時には、本体部と引出部との間に設けた遊びだけが、収納時の余分な空間となる。従って、例えば、使用時にのみ大きな面積とする支持台として用いれば、その引出部が収納される大きさと、本体部と引出部との遊びの空間だけが必要な空間となるので、さらに、支持台の本体部の内部には、支持台によって支持される装置の一部が収容されるので、本発明を用いた装置の収納時の大きさを従来よりも小さくすることができる。
【図面の簡単な説明】
【図１】本発明の第１の実施の形態における支持台の正面図である。
【図２】本発明の第１の実施の形態における支持台の右側側面図であり、Ａは、収納時の状態の示し、Ｂは使用時の状態を示す。
【図３】  本発明の第２の実施の形態における支持台の正面図である。
【図４】  図３における［８］−［８］線方向の側面断面図である。
【図５】  図３における［９］−［９］線方向の側面断面図である。
【図６】  本実施例の海水淡水化装置の、使用時の状態を示す斜視図である。
【図７】  本実施例の海水淡水化装置の、使用時の状態を示す正面図である。
【図８】  本実施例の海水淡水化装置の、使用時の状態を示す右側側面図である。
【図９】  本実施例の海水淡水化装置の、引出部を収納したときの状態を示す正面図である。
【図１０】  本実施例の海水淡水化装置のポンプ作用を説明する部分破断拡大断面図である。
【図１１】  本実施例の海水淡水化装置の作用を説明するための模式図である。
【図１２】  本実施例の海水淡水化装置の大きさと、従来の海水淡水化装置の大きさとを比較した比較図である。
【図１３】  本発明の第１変形例を示す正面図であり、Ａは使用時に本体部に対して一方に引出した状態を示し、Ｂは使用時に本体部に対して他方に引出した状態を示し、Ｃは収納時に、収納孔に連結部が位置して、引出部が本体部に当接している状態を示している。
【図１４】  本発明の第２変形例を示す正面図である。
【図１５】  本発明の第３変形例を示す正面図である。
【図１６】  本発明の第４変形例を示す正面図であり、Ａは収納時の状態を示し、Ｂは使用時に、引出部が本体部に拘持されている状態を示している。
【図１７】  本発明の第４変形例を示す右側側面図であり、Ａは収納時の状態を示し、Ｂは使用時に、引出部が本体部に拘持されている状態を示している。
【図１８】  第１従来例を示す断面図であり、Ａは収納されている状態を示し、ＢはＡにおける［Ｂ］−［Ｂ］線方向の断面図であり、Ｃは引き出された状態を示している。
【図１９】  第２従来例を示す断面図であり、Ａは収納されている状態を示し、Ｂは引き出された状態を示している。
【図２０】  従来例の海水淡水化装置の作用を示す模式図である。
【図２１】  従来例の海水淡水化装置を示す図であり、Ａが収納時の正面図、Ｂが使用時の正面図、ＣがＢにおける［Ｃ］−［Ｃ］線方向の断面図である。
【符号の説明】
５０        支持台
５０”      支持台
５１        本体部
５１’      本体部
５１”      本体部
５１ａ      側面
５１ａ’    側壁の内面
５１ａ”    側面
５１ｂ      側面
５１ｂ’    側壁の内面
５１ｂ”    側面
５１ｃ      底面
５１ｃａ’  底面
５１ｃ”    底面
５２        引出部
５２”      引出部
５２ａ      側部
５２ａ’    側部
５２ａ”    側部
５２ｂ      側部
５２ｂ’    側部
５２ｂ”    側部
５２ｃ      底部
５２ｃ’    底部
５２ｃ”    底部
５２ｆ”    貫通孔
５３        平行ピン
５４        貫通孔
５５        貫通孔
５６        孔
５７        孔
５８        収納孔
５９        収納孔
６０        海水淡水化装置
６１        ハンドル
６２        シリンダ部
６３        支持台
６５        皿ばね
６５ａ      孔
６６        皿ばね
６６ａ      孔
７１        第１部材
７２        第２部材
７３        第３部材
７５        本体部
７５ａ      側面
７５ｂ      側面
７５ｃ      底面
７６        引出部
７６ａ      側部
７６ａａ    貫通孔
７６ｂ      側部
７６ｂａ    貫通孔
７６ｃ      底部
７７        ピン
８１        本体部
８１’      本体部
８２        引出部
８２’      引出部
８３        連結部
８３’      連結部
８４        貫通孔
８４’      貫通孔
８４ｂ      側部
８４ｃ      側部
８５        本体部
８６        第１の引出部
８６ａ      貫通孔
８７        第２の引出部
８７ａ      貫通孔
８８        収納孔
８８’      収納孔
８９        ピン
８９’      ピン
９１        本体部
９２        引出部
９２ａ      貫通孔
９３        連結部
Ｉ          引き出される方向
Ｉ”        引き出される方向
Ｋ’        引き出される方向
Ｐ          間隙
Ｐ’        間隙
Ｑ          間隙
ｒ          間隙
ｒ’        間隙
ｒ”        間隙
Ｓ          間隙
Ｓ’        間隙
ｔ          間隙
ｔ’        間隙
ｕ          間隙
ｖ          間隙
ｗ          間隙
【図１】
0003621213.tif 000002
【図２】
0003621213.tif 000003
【図３】
0003621213.tif 000004
【図４】
0003621213.tif 000005
【図５】
0003621213.tif 000006
【図６】
0003621213.tif 000007
【図７】
0003621213.tif 000008
【図８】
0003621213.tif 000009
【図９】
0003621213.tif 000010
【図１０】
0003621213.tif 000011
【図１１】
0003621213.tif 000012
【図１２】
0003621213.tif 000013
【図１３】
0003621213.tif 000014
【図１４】
0003621213.tif 000015
【図１５】
0003621213.tif 000016
【図１６】
0003621213.tif 000017
【図１７】
0003621213.tif 000018
【図１８】
0003621213.tif 000019
【図１９】
0003621213.tif 000020
【図２０】
0003621213.tif 000021
【図２１】
0003621213.tif 000022